(57)【要約】【課題】テープの種類に応じて記録モードを切り替えて、入力デジタル信号の記録再生を行う磁気記録再生装置を提供する。【解決手段】デジタル信号記録時にテープ判別を行い、標準の電気特性に優れた磁気テープを基準となる第１の走行速度で駆動する第１の記録モードと、電気特性の劣った磁気テープを第１の走行速度に対してｎ倍となる第２の走行速度で駆動し、第１の記録モードの１／ｎの記録レートで、第１の記録モードのｎ倍の個数の回転ヘッドを用いてデジタル記録を可能にする第２の記録モードを備え、再生時にはテープ判別結果と、磁気テープから再生された情報信号とに基づいて、磁気テープに記録された信号を再生する。【選択図】      図１
2004253098.tif 000002
【特許請求の範囲】
【請求項１】
一定に回転させる回転ドラム上に搭載された、第１のアジマス角度のヘッドと、第２のアジマス角度のヘッドとにより、入力デジタル信号を磁気記録媒体に記録し、再生する磁気記録再生装置において、
前記磁気記録媒体をあらかじめ定められた基準となる第１の走行速度で駆動するとともに、前記記録媒体を第１の走行速度に対してｎ倍となる第２の走行速度で駆動する走行手段と、
前記記録媒体の種類を判別するテープ判別手段とを備え、
記録時には、前記テープ判別結果を基に、前記磁気記録媒体を前記第１の走行速度で走行駆動させ、前記第１の走行速度に対応した情報信号と、前記第１の走行速度に対応したデータレートを有する入力デジタル信号とを記録する第１の記録モードと、
前記テープ判別結果を基に、前記磁気記録媒体を前記第２の走行速度で駆動させ、前記第１の記録モードの１／ｎの記録レートで、前記第１の記録モードのｎ倍の個数の回転ヘッドを用いて、前記第２の走行速度に対応した情報信号と、前記第１の走行速度に対応したデータレートを有する入力デジタル信号とを、記録する第２の記録モードとを備え、
再生時には、前記テープ判別結果と、前記磁気記録媒体から再生された前記情報信号とに基づいて、前記磁気記録媒体に記録された信号を再生する、
ことを特徴とした磁気記録再生装置。
【請求項２】
一定に回転させる回転ドラム上に搭載された、第１のアジマス角度のヘッドと、第２のアジマス角度のヘッドとにより、入力デジタル信号または入力アナログ映像信号を、磁気記録媒体に記録し、再生する磁気記録再生装置において、
前記磁気記録媒体をあらかじめ定められた基準となる第１の走行速度で駆動するとともに、前記記録媒体を第１の走行速度に対してｎ倍となる第２の走行速度で駆動する走行手段と、
前記記録媒体の種類を判別するテープ判別手段とを備え、
デジタル信号記録時には、前記テープ判別結果を基に、前記磁気記録媒体を前記第１の走行速度で走行駆動させ、前記第１の走行速度に対応した情報信号と、前記第１の走行速度に対応したデータレートを有する入力デジタル信号とを記録する第１の記録モードと、
前記テープ判別結果を基に、前記磁気記録媒体を前記第２の走行速度で駆動させ、前記第１の記録モードの１／ｎの記録レートで、前記第１の記録モードのｎ倍の個数の回転ヘッドを用いて、前記第２の走行速度に対応した情報信号と、前記第１の走行速度に対応したデータレートを有する入力デジタル信号とを記録する第２の記録モードとを備え、
デジタル信号再生時には、前記テープ判別結果と、前記磁気記録媒体から再生された前記情報信号とに基づいて、前記磁気記録媒体に記録された信号を再生し、前記テープ判別結果が、前記第２の記録モードに対応したテープであり、かつ前記磁気記録媒体から再生された前記情報信号がない場合には、アナログ信号再生モードに切り換える、
ことを特徴とした磁気記録再生装置。
【請求項３】
一定に回転させる回転ドラム上に搭載された、第１のアジマス角度のヘッドと、第２のアジマス角度のヘッドとにより、入力デジタル信号または入力アナログ映像信号を磁気記録媒体に記録し、再生する磁気記録再生装置において、
前記磁気記録媒体をあらかじめ定められた基準となる第１の走行速度で駆動すると共に、前記記録媒体を第１の走行速度に対してｎ倍となる第２の走行速度で駆動する走行手段と、
前記記録媒体の種類を判別するテープ判別手段と、
デジタル信号再生時のエラーレートを測定するエラーレート測定手段とを備え、
デジタル信号記録時には、前記テープ判別結果を基に、前記磁気記録媒体を前記第１の走行速度で走行駆動させ、前記第１の走行速度に対応した情報信号と、前記第１の走行速度に対応したデータレートを有する入力デジタル信号とを記録する第１の記録モードと、
前記テープ判別結果を基に、前記磁気記録媒体を前記第２の走行速度で駆動させ、前記第１の記録モードの１／ｎの記録レートで、前記第１の記録モードのｎ倍の個数の回転ヘッドを用いて、前記第２の走行速度に対応した情報信号と、前記第１の走行速度に対応したデータレートを有する入力デジタル信号とを記録する第２の記録モードとを備え、
デジタル信号再生時には、前記テープ判別結果と前記磁気記録媒体から再生された前記情報信号と、デジタル信号再生時のエラーレートの測定結果とに基づいて、前記磁気記録媒体に記録された信号を再生し、前記テープ判別結果が、前記第２の記録モードに対応したテープであり、かつ前記デジタル信号再生時のエラーレートの測定結果がある基準以上に悪い場合には、アナログ信号再生モードに切り換える、
ことを特徴とした磁気記録再生装置。
【発明の詳細な説明】
【０００１】
【発明の属する技術分野】
本発明は、磁気記録再生装置に関し、特に、回転ヘッドを用いて入力デジタル信号の記録再生を行なう磁気記録再生装置、及び、回転ヘッドを用いて入力デジタル信号または入力アナログ信号を記録再生する磁気記録再生装置に関するものである。
【０００２】
【従来の技術】
従来、回転ヘッドを用いて磁気テープ等の記録媒体にデジタル記録を行う方法としては、特許文献１に記載された様な方法が知られている。
【０００３】
また、現在家庭用ＶＴＲではＶＨＳ方式のような入力アナログ信号の記録再生が主流であるが、デジタル放送等が開始され、入力デジタル信号を記録再生可能なＶＴＲが必要とされている。そこで、入力アナログ信号、及び入力デジタル信号をひとつのＶＴＲで記録再生する為に、アナログ信号処理回路、及びデジタル信号処理回路を備え、さらに機構部品の簡略化や利便性の向上のため、入力デジタル信号を記録するカセットテープと、入力アナログ信号を記録するカセットテープの形状を略同一のものとした磁気記録再生装置（Ｄ−ＶＨＳ）が提案されている。
【０００４】
【特許文献１】
特開平８−１１１００２号公報
【０００５】
【発明が解決しようとする課題】
しかしながら、上記の入力デジタル信号の記録再生を行なう磁気記録再生装置においては、高周波特性等の電気特性が保証された標準の磁気テープ、例えばＤ−ＶＨＳテープを使用しないとデジタル信号の記録再生が保証されず、通常の電気特性の磁気テープ、例えばＶＨＳテープではデジタル信号の記録再生が出来ない、という問題点を有していた。
【０００６】
また、入力アナログ信号及び入力デジタル信号の記録再生を行なう磁気記録再生装置においては、アナログ信号が記録された通常の電気特性の磁気テープと、デジタル信号が記録された通常の電気特性の磁気テープとの判別が出来ない、という問題点を有していた。
【０００７】
本発明は、上記問題点に鑑みてなされたもので、入力デジタル信号の記録再生を行う磁気記録再生装置において、通常の電気特性の磁気テープに対しても、入力デジタル信号の記録再生が可能であるようにした磁気記録再生装置を提供することを目的とする。
【０００８】
また、本発明は、入力アナログ信号、及び入力デジタル信号の記録再生を行なう磁気記録再生装置において、アナログ信号が記録された通常の電気特性の磁気テープと、デジタル信号が記録された通常の電気特性の磁気テープとの判別が可能であるようにした磁気記録再生装置を提供することを目的とする。
【０００９】
【課題を解決するための手段】
前記課題を解決するために、本発明にかかる磁気記録再生装置は、デジタル信号記録時にテープ判別を行い、電気特性が保証された標準の磁気テープＴを基準となる第１の走行速度で駆動する第１の記録モードと、通常の電気特性の磁気テープＴを第１の走行速度に対してｎ倍となる第２の走行速度で駆動し、第１の記録モードの１／ｎの記録レートで、第１の記録モードのｎ倍の個数の回転ヘッドを用いてデジタル記録を可能にする第２の記録モードとを備え、再生時にはテープ判別結果と、磁気テープから再生された情報信号とに基づいて、磁気テープに記録された信号を再生するように構成したものである。これにより、上記の入力アナログ信号、及び入力デジタル信号の記録再生を行う磁気記録再生装置において、通常の電気特性の磁気テープでも、入力デジタル信号の記録再生を行なうことを可能にすることが出来る。
【００１０】
【発明の実施の形態】
本発明の請求項１にかかる磁気記録再生装置は、一定に回転させる回転ドラム上に搭載された、第１のアジマス角度のヘッドと、第２のアジマス角度のヘッドとにより、入力デジタル信号を磁気記録媒体に記録し、再生する磁気記録再生装置において、前記磁気記録媒体をあらかじめ定められた基準となる第１の走行速度で駆動するとともに、前記記録媒体を第１の走行速度に対してｎ倍となる第２の走行速度で駆動する走行手段と、前記記録媒体の種類を判別するテープ判別手段とを備え、記録時には、前記テープ判別結果を基に、前記磁気記録媒体を前記第１の走行速度で走行駆動させ、前記第１の走行速度に対応した情報信号と、前記第１の走行速度に対応したデータレートを有する入力デジタル信号とを記録する第１の記録モードと、前記テープ判別結果を基に、前記磁気記録媒体を前記第２の走行速度で駆動させ、前記第１の記録モードの１／ｎの記録レートで、前記第１の記録モードのｎ倍の個数の回転ヘッドを用いて、前記第２の走行速度に対応した情報信号と、前記第１の走行速度に対応したデータレートを有する入力デジタル信号とを記録する第２の記録モードとを備え、再生時には、前記テープ判別結果と、前記磁気記録媒体から再生された前記情報信号とに基づいて、前記磁気記録媒体に記録された信号を再生することを特徴としたものであり、これにより、通常の電気特性の磁気テープに対しても、入力デジタル信号の記録，再生を行なうことを可能にする、という作用を有する。
【００１１】
本発明の請求項２にかかる磁気記録再生装置は、一定に回転させる回転ドラム上に搭載された、第１のアジマス角度のヘッドと、第２のアジマス角度のヘッドとにより、入力デジタル信号または入力アナログ映像信号を、磁気記録媒体に記録し、再生する磁気記録再生装置において、前記磁気記録媒体をあらかじめ定められた基準となる第１の走行速度で駆動するとともに、前記記録媒体を第１の走行速度に対してｎ倍となる第２の走行速度で駆動する走行手段と、前記記録媒体の種類を判別するテープ判別手段とを備え、デジタル信号記録時には、前記テープ判別結果を基に、前記磁気記録媒体を前記第１の走行速度で走行駆動させ、前記第１の走行速度に対応した情報信号と、前記第１の走行速度に対応したデータレートを有する入力デジタル信号とを記録する第１の記録モードと、前記テープ判別結果を基に、前記磁気記録媒体を前記第２の走行速度で駆動させ、前記第１の記録モードの１／ｎの記録レートで、前記第１の記録モードのｎ倍の個数の回転ヘッドを用いて、前記第２の走行速度に対応した情報信号と、前記第１の走行速度に対応したデータレートを有する入力デジタル信号とを記録する第２の記録モードとを備え、デジタル信号再生時には、前記テープ判別結果と、前記磁気記録媒体から再生された前記情報信号とに基づいて、前記磁気記録媒体に記録された信号を再生し、前記テープ判別結果が、前記第２の記録モードに対応したテープであり、かつ前記磁気記録媒体から再生された前記情報信号がない場合には、アナログ信号再生モードに切り換えることを特徴としたものであり、これにより、デジタル信号再生時には、前記テープ判別結果と、前記磁気記録媒体から再生された前記情報信号とに基づいて、前記磁気記録媒体に記録された信号を再生し、前記テープ判別結果が、前記第２の記録モードに対応したテープで、かつ前記磁気記録媒体から再生された前記情報信号がない場合には、アナログ信号再生モードに切り換えることを可能にする、という作用を有する。
【００１２】
本発明の請求項３にかかる磁気記録再生装置は、一定に回転させる回転ドラム上に搭載された、第１のアジマス角度のヘッドと、第２のアジマス角度のヘッドとにより、入力デジタル信号または入力アナログ映像信号を磁気記録媒体に記録し、再生する磁気記録再生装置において、前記磁気記録媒体をあらかじめ定められた基準となる第１の走行速度で駆動すると共に、前記記録媒体を第１の走行速度に対してｎ倍となる第２の走行速度で駆動する走行手段と、前記記録媒体の種類を判別するテープ判別手段と、デジタル信号再生時のエラーレートを測定するエラーレート測定手段とを備え、デジタル信号記録時には、前記テープ判別結果を基に、前記磁気記録媒体を前記第１の走行速度で走行駆動させ、前記第１の走行速度に対応した情報信号と、前記第１の走行速度に対応したデータレートを有する入力デジタル信号とを記録する第１の記録モードと、前記テープ判別結果を基に、前記磁気記録媒体を前記第２の走行速度で駆動させ、前記第１の記録モードの１／ｎの記録レートで、前記第１の記録モードのｎ倍の個数の回転ヘッドを用いて、前記第２の走行速度に対応した情報信号と、前記第１の走行速度に対応したデータレートを有する入力デジタル信号とを記録する第２の記録モードとを備え、デジタル信号再生時には、前記テープ判別結果と前記磁気記録媒体から再生された前記情報信号と、デジタル信号再生時のエラーレートの測定結果と、に基づいて、前記磁気記録媒体に記録された信号を再生し、前記テープ判別結果が、前記第２の記録モードに対応したテープであり、かつ前記デジタル信号再生時のエラーレートの測定結果がある基準以上に悪い場合には、アナログ信号再生モードに切り換えることを特徴としたものであり、これにより、デジタル信号再生時には、前記テープ判別結果と、前記磁気記録媒体から再生された前記情報信号と、デジタル信号再生時のエラーレートの測定結果とに基づいて、前記磁気記録媒体に記録された信号を再生し、前記テープ判別結果が、前記第２の記録モードに対応したテープであり、かつ前記デジタル信号再生時のエラーレートの測定結果がある基準以上に悪い場合には、アナログ信号再生モードに切り換えることを可能にするという作用を有する。
【００１３】
（実施の形態１）
以下に、本発明の請求項１に記載された発明の実施の形態について、図１〜図６を用いて説明する。
【００１４】
図１は、本発明の第１の実施の形態による磁気記録再生装置のブロック図を示すものである。図２は、本実施の形態１の磁気記録再生装置における回転ヘッドの配置を示す図、図３、図５は、本実施の形態１による磁気記録再生装置の動作を示すタイミングチャート、図４、図６は、本実施の形態１における磁気テープのトラックパターンを示す図である。
【００１５】
本実施の形態１による磁気記録再生装置は、図１に示すように、図示しない伝送路から供給される入力デジタル信号を、磁気テープである磁気記録媒体Ｔ上にトラックパターンを形成しながら記録する信号記録系と、この信号記録系によって記録された信号を再生する信号再生系から、概略構成される。
【００１６】
上記した信号記録系は、
（１）  上記した入力デジタル信号を、本磁気記録再生装置で処理する為のデータレートに変換する入力インターフェイス手段１から出力されたデジタル信号を、後述するトラック周期ごとに書き込み、読み出しを行なう複数のメモリからなるメモリ部２、
（２）  該メモリ部２に書き込まれるデジタル信号に対し、所定の誤り訂正符号を生成し、これをメモリ部２に供給する外符号生成回路３、
（３）  上記メモリ部２から読み出されたデジタル信号に対し、更に別の系列に従って所定の誤り訂正符号を生成し、これを所定ブロックのデジタル信号に付加する内符号生成回路４、
（４）  該内符号生成回路５から出力されたデジタル信号に対し、所定の配列で該デジタル信号を磁気テープＴ上に記録するため、所定のブロック毎に同期信号、識別信号ＩＤを付加して、磁気テープＴ上に記録する為の記録変調を行うフォーマッタ５、
（５）  該フォーマッタ５が出力した変調デジタル信号を、所定のゲインに増幅する記録アンプ６、および、
（６）  記録アンプ６から出力された増幅変調デジタル信号を、磁気テープＴ上に記録する回転ヘッド７ａ〜７ｄ、
から構成される。
【００１７】
ここで、例えばユーザが、入力手段２０から磁気テープＴの走行速度或いはデジタル信号記録レートを指示入力すると、この指示が制御手段１５に供給され、更にテープ判別手段１６でテープ走行系に挿入された磁気テープの種類を判別した情報が、制御手段１５に供給され、制御手段１５はこの走行速度指示と、テープの判別情報とに基づいて、磁気テープＴの走行速度を示す情報信号をフォーマッタ５に供給する。フォーマッタ５では、この情報信号を上記したＩＤの情報の一部として、これをブロック毎のデジタル信号に付加する。
【００１８】
また、上記した制御手段１５は、この情報信号に基づいて磁気テープＴの走行系の駆動制御を行うテープ駆動手段１７に、制御信号を供給する。このテープ駆動手段１７は、この制御信号に基づいて、図示しない磁気テープＴの走行系の駆動制御を行う。
【００１９】
更にまた、このとき、コントロール信号記録再生手段１８は、図示しない同期信号発生器で発生された、あるいは入力デジタル信号から分離された同期信号に基づいてコントロール信号を生成し、これをコントロールヘッド１９によって磁気テープＴに記録する。
【００２０】
上記した信号再生系は、
（１）  上記回転ヘッド７ａ〜７ｄが磁気テープＴ上を走査して得た再生信号を所定のゲインに増幅する再生アンプ８、
（２）  再生アンプ８が増幅した再生信号に対し、波形整形を施す波形等化回路９、波形整形された信号からタイミング信号を抽出し、１、０の信号列を復元する、図示しないＰＬＬ回路、
（３）  復号された信号列から同期検出を行う、図示しない同期検出回路、及び記録変調の復調を行う、図示しない復調回路、
（４）  復調されたデジタル信号のうち、上記したＩＤを検出して信号の配列を整理するデフォーマッタ１０、
（５）  デフォーマッタ１０から出力されたデジタル信号に対し、誤り訂正を行う内符号誤り訂正回路１１、
（６）  内符号誤り訂正回路１１によって誤り訂正されたデジタル信号を、上記したＩＤに従って記憶するメモリ部１２、
（７）  メモリ部１２に記憶されたデジタル信号に対し、付加された外符号に沿って所定の誤り訂正を行い、訂正した情報をメモリ部１２に供給する外符号誤り訂正回路１３、および、
（８）  メモリ部１２から読み出されたデジタル信号を、所望の外部データレートに変換する出力インターフェイス手段１４、
から構成される。
【００２１】
ここで、上記したデフォーマッタ１０は、検出されたＩＤのうち、磁気テープＴの走行速度を示す情報信号を、上記した制御手段１５に供給し、制御手段１５は、この速度情報と、テープ判別手段１６によりテープ走行系に挿入された磁気テープの種類を判別した情報とによって、テープ駆動手段１７に制御信号を供給し、テープ駆動手段１７は、この制御信号に基づいて磁気テープＴの走行系の駆動制御を行う。
【００２２】
次に、本磁気記録再生装置の動作について説明する。第１のアジマス角度のヘッド７ａ、７ｃと、第２のアジマス角度のヘッド７ｂ、７ｃとを、磁気テープＴに形成される記録トラックピッチに相当する間隔だけずらして回転ドラム２１に対して配置した回転ヘッドにより、入力デジタル信号を磁気テープＴに記録し、再生する磁気記録再生装置において、制御手段１５、テープ判別手段１６、テープ駆動手段１７を有し、前記磁気テープＴを予め定められた第１のテープ走行速度と、前記第１のテープ走行速度に対して２倍となる第２のテープ走行速度とに、夫々切り替えて走行させるテープ走行手段２５を備え、記録時は、前記磁気テープＴに所望の入力デジタル信号と、前記テープ走行速度とテープ判別結果に対応した速度情報信号とを記録すると共に、再生時は、前記速度情報信号に基づいて磁気テープＴに記録された信号を再生する、ことを特徴とするよう構成した。
【００２３】
図２に示すように、回転ドラム２１には、第１のアジマス角度７ａと、第２のアジマス角度のヘッド７ｂとが、第１のコンビネーションヘッドとして搭載されており、第１のアジマス角度７ｃと、第２のアジマス角度のヘッド７ｄとが、第２のコンビネーションヘッドとして搭載されている。但し、上記したコンビネーションヘッド７ａ〜７ｄは、機械的な取り付け位置の制約で実際には可能な範囲で近接した位置に取り付けられ、必要に応じて記録信号の記録開始時刻をヘッド毎に可変し、トラックが水平方向の同じ高さに形成されるようにする。更にこのとき、コンビネーションヘッド７ａ〜７ｄは、本磁気記録再生装置において形成される、トラックパターンの幅であるトラックピッチだけ異なる高さに取り付けられる。
【００２４】
さて、本磁気記録再生装置に、標準の磁気記録テープ、例えばＤ−ＶＨＳテープが挿入され、例えばデータレートＡ［Ｍｂｐｓ］のデジタル信号が供給されたとき、これを基本のデータレートである標準の磁気テープ走行速度で記録する場合を説明する。また、このとき回転ドラム２１の回転数は一定に保たれているものとする。
【００２５】
このとき、ユーザは、上記した入力手段２０により標準の磁気テープ走行速度である第１のテープ走行速度或いはデジタル信号記録レートでデジタル信号を記録する指示入力を行う。上記した信号記録系に供給された入力デジタル信号は、上記した信号処理を経て増幅変調デジタル信号として図示しないヘッド切り換えスイッチに供給される。
【００２６】
また、これと同時に上記した制御手段１５は、この指示入力に基づいてテープ駆動手段１７を制御し、磁気テープＴを第１のテープ走行速度で走行させる。ここで、磁気テープＴは、この回転ドラム２１上に略１８０度にわたって巻き付けられており、標準の磁気テープ速度とは、例えば回転ドラム２１が１回転するときに第１のコンビネーションヘッドが磁気テープＴ上に回転ヘッド７ａ，７ｂのトラックパターンを夫々１つ形成する間に進む距離である。即ち、ここでいう第１のテープ走行速度は、上記した回転ドラム２１が１回転するときにこの回転ヘッド７ａ，７ｂのトラックパターンに隣接する位置に次の回転ヘッド７ａ，７ｂのトラックパターンを形成するために必要な磁気テープＴの移動量とする。
【００２７】
このときの信号記録系の動作を、図３のタイミングチャートに沿って説明する。
図３において、トラック周期（ａ）、入力データ（ｂ）、メモリ書込（ｃ）、外部符号生成メモリ読書き（ｄ）、内部符号生成〜記録変調（ｅ）、及び記録信号（ｆ）を示す。
【００２８】
上記入力したインターフェイス１を介して供給された入力デジタル信号ａ〜ｄは、図３（ｃ）に示すように、回転ドラム２１の回転に同期したトラック周期毎に上記したメモリ部２内の複数のメモリのうちの１つである第１のメモリ、ａの部分に書き込みが行われる。
【００２９】
次に図３（ｄ）に示すように、該第１のメモリに書き込みが行われた次の半トラック周期で記憶されたデジタル信号に対する外符号が、外符号生成回路３により生成され、この第１のメモリに供給される。一方で、図３（ｃ）に示すように、上記したメモリ部２内の別の第２のメモリ、ｂの部分に書き込みが行われる。
【００３０】
また、次の半トラック周期で上記した第２のメモリに記憶されたデジタル信号に対する外符号が外符号生成回路３により生成され、この第２のメモリに供給される。一方で、図３（ｃ）に示すように、上記したメモリ部２内の別の第３のメモリ、ｃの部分に書き込みが行われる。
【００３１】
更に、次の半トラック周期で上記した第３のメモリに記憶されたデジタル信号に対する外符号が外符号生成回路３により生成され、この第３のメモリに供給される。一方で、図３（ｃ）に示すように、上記したメモリ部２内の別の第４のメモリ、ｄの部分に書き込みが行われる。
【００３２】
また、このとき、上記した第１、第２のメモリから外符号が付加されたデジタル信号が夫々読み出されると、このデジタル信号は、内符号生成回路４に同時に夫々供給され、図３（ｅ）に示すように、第１、第２系統に分かれて内符号が夫々付加された後、上記したフォーマッタ５、記録アンプ６を介して、増幅変調デジタル信号として、図示しないヘッド切り替えスイッチに供給される。
【００３３】
ヘッド切り換えスイッチは、例えば、半トラック周期で、第１、第２系統の増幅変調デジタル信号ａ，ｂを、夫々第１のアジマス角度の回転ヘッド７ａ、及び第２のアジマス角度の回転ヘッド７ｂに同時に供給し、次の半トラック周期で、無信号である第１、第２系統の増幅変調デジタル信号を、夫々第１のアジマス角度の回転ヘッド７ｃ、及び第２のアジマス角度の回転ヘッド７ｄに同時に供給する。そして、上記した第１、第２のコンビネーションヘッドは、図４に示すようなトラックパターンを形成しながら磁気テープＴ上に増幅変調デジタル信号を記録する。以下、図３（ｆ）に示すように、このタイミングに沿って信号記録を行う。
【００３４】
次に、本磁気記録再生装置に、標準の磁気記録テープより電気特性が劣るテープ、例えばＶＨＳテープが挿入され、例えばデータレートＡ［Ｍｂｐｓ］のデジタル信号が供給されたとき、これを上記した標準の磁気テープ走行速度の２倍のテープ走行速度で記録する場合を説明する。また、このとき回転ドラム２１の回転数は一定に保たれているものとする。
【００３５】
このとき、ユーザは、上記した入力手段２０により標準の磁気テープ走行速度である第１のテープ走行速度でデジタル信号を記録する指示入力を行うが、前記テープ判別手段１６、例えばテープの種類を示す検出穴を検出する判別手段の判別結果により、第２のテープ走行速度、例えば第１のテープ速度の２倍で、デジタル信号を記録するように制御手段１５が制御を行う。
【００３６】
上記した信号記録系に供給された入力デジタル信号は、上記した信号処理を経て信号記録系から１／２の記録レートで出力され、増幅変調デジタル信号として図示しないヘッド切り換えスイッチに供給される。また、これと同時に上記した制御手段１５は、この指示入力と、テープ判別結果とに基づいて、テープ駆動手段１７を制御し、磁気テープＴを第２のテープ走行速度で走行させる。
【００３７】
このときの信号記録系の動作を、図５のタイミングチャートに沿って説明する。
図５において、トラック周期（ａ）、入力データ（ｂ）、メモリ書込（ｃ）、外部符号生成メモリ読書き（ｄ）、内部符号生成〜記録変調（ｅ）、及び記録信号（ｆ）を示す。
【００３８】
上記した入力インターフェイス１を介して供給された入力デジタル信号ａ〜ｄは、図５（ｃ）に示すように、回転ドラム２１の回転に同期したトラック周期毎に上記したメモリ部２内の複数のメモリの内の１つである第１のメモリ、ａの部分に書き込みが行われる。
【００３９】
次に図５（ｄ）に示すように、第１のメモリに書き込みが行われた次の半トラック周期で記憶されたデジタル信号に対する外符号が、外符号生成回路３により生成され、この第１のメモリに供給される。一方で、図５（ｃ）に示すように、上記したメモリ部２内の別の第２のメモリ、ｂの部分に書き込みが行われる。
【００４０】
また、次の半トラック周期で上記した第２のメモリに記憶されたデジタル信号に対する外符号が、外符号生成回路３により生成され、この第２のメモリに供給される。一方で、図５（ｃ）に示すように、上記したメモリ部２内の別の第３のメモリ、ｃの部分に書き込みが行われる。
【００４１】
更に、次の半トラック周期で上記した第３のメモリに記憶されたデジタル信号に対する外符号が外符号生成回路３により生成され、この第３のメモリに供給される。一方で、図５（ｃ）に示すように、上記したメモリ部２内の別の第４のメモリ、ｄの部分に書き込みが行われる。
【００４２】
また、このとき、上記した第１、第２のメモリから外符号が付加されたデジタル信号が夫々読み出されると、このデジタル信号は、内符号生成回路４に同時に夫々供給され、図５（ｅ）に示すように、第１、第２系統に分かれて内符号が夫々付加された後、上記したフォーマッタ５から、第１の記録モードの１／２のレートの読み出しクロックで記録変調デジタル信号が読み出され、記録アンプ６を介して、増幅変調デジタル信号として、図示しないヘッド切り替えスイッチに供給される。
【００４３】
ヘッド切り換えスイッチは、例えば、第１、第２系統の増幅変調デジタル信号ａ１，ｂ１を、夫々第１のアジマス角度の回転ヘッド７ａ、及び第２のアジマス角度の回転ヘッド７ｂに同時に供給し、次の半トラック周期で、第１、第２系統の増幅変調デジタル信号ａ２，ｂ２を、夫々第１のアジマス角度の回転ヘッド７ｃ、及び第２のアジマス角度の回転ヘッド７ｄに同時に供給する。そして、上記した第１、第２のコンビネーションヘッドは、図６に示すようなトラックパターンを形成しながら、磁気テープＴ上に増幅変調デジタル信号を記録する。以下、図５（ｆ）に示すように、このタイミングに沿って信号記録を行う。
【００４４】
このとき、磁気テープＴは、第１のテープ走行速度の２倍である第２のテープ走行速度で走行しているため、例えば回転ドラム２１の最初の半回転で第１、第２アジマスのヘッド７ａ，７ｂがトラックパターンを磁気テープＴ上に形成し、次の半回転で第１、第２アジマスのヘッド７ｃ，７ｄが次のトラックパターンを磁気テープＴ上に形成する。こうして、第２のテープ走行速度において、第１、第２のアジマスヘッド７ａ〜７ｄは、磁気テープ上に順次トラックパターンを形成しながら信号を記録していく。
【００４５】
尚、上記したように磁気テープＴ上に記録された信号は、再生時、上記した回転ヘッド７ａ〜７ｄによって再生され、上記した信号再生系に供給される。そして、この信号再生系において、例えば、デフォーマッタ１０によって復調された記録信号から上記したＩＤを検出し、これに含まれる情報信号から記録時のテープ走行速度が識別されるので、この識別信号を上記した制御手段１５に供給するとともに、テープ判別手段１６のテープ判別結果を上記した制御手段１５に供給することで、磁気テープＴを記録時と同じ走行速度にて走行制御する。こうして、デフォーマッタ１０で復調された再生信号は、上記した内符号訂正、外符号訂正の処理を経て、出力デジタル信号として出力インターフェイスから図示しない伝送路に出力される。
【００４６】
尚ここで、上記した外符号訂正と、内符号訂正の処理は、上記した方法に限定されないことは勿論であり、例えば、回転ヘッドが上記したトラックパターンを正確に走査しているときは、上記したトラック周期期間毎に外符号訂正と内符号訂正とが終了した信号をメモリに書き込んでも良いし、また、例えば、回転ヘッドが上記したトラックパターンを正確に走査している／いないに関わらず、内符号訂正が終了した信号をメモリに書き込んで、１トラック周期に相当する信号のデータ量がメモリに書き込まれた時点で外符号訂正を行っても良いことは勿論である。
【００４７】
こうして、本磁気記録再生装置において、異なる種類の磁気テープＴに対して、上記した基本のデータレートＡ［Ｍｂｐｓ］で供給される入力デジタル信号を、上記で述べたように構成された回転ドラム２１を用いることにより、回転ドラムの回転数を一定に保ちつつ、磁気テープＴの走行速度を可変することによって、磁気テープ上に記録することが出来る。
【００４８】
また、本磁気記録再生装置において、上述したように磁気テープＴ上に記録されたデジタル信号は、上記した信号再生系によって再生、復調されることにより、入力デジタル信号とほぼ同様な再生デジタル信号として再生される。
【００４９】
尚、上記した回転ヘッドの構成は、上記したものに限定されないことは勿論であり、様々な場合が考えられるが、そのとき、回転ヘッドの構成に対応して上記したトラック周期毎の信号処理を行うことにより基本のデータレートで供給される入力デジタル信号を夫々記録、再生してもよいことは勿論である。
【００５０】
このような本実施の形態１による磁気記録再生装置においては、記録時には、テープ判別結果を基に、磁気記録媒体を第１の走行速度で走行駆動させ、第１の走行速度に対応した情報信号と、第１の走行速度に対応したデータレートを有する入力デジタル信号とを記録する第１の記録モードと、テープ判別結果を基に、磁気記録媒体を第２の走行速度で駆動させ、第１の記録モードの１／ｎの記録レートで、第１の記録モードのｎ倍の個数の回転ヘッドを用いて、第２の走行速度に対応した情報信号と、第１の走行速度に対応したデータレートを有する入力デジタル信号とを記録する第２の記録モードとを備え、再生時には、テープ判別結果と、磁気記録媒体から再生された情報信号とに基づいて、磁気記録媒体に記録された信号を再生するものとしたので、Ｄ−ＶＨＳのような高品位なテープが挿入されたときには、通常のテープ走行速度でデジタル記録、再生を行うことができるとともに、通常のＶＨＳテープが挿入された場合には、回転速度を２倍にする第２の記録モードでデジタル記録、再生を行うことができるもので、これにより、挿入されたテープが通常のＶＨＳテープであっても、デジタル信号の記録、再生を行うことができる効果が得られる。
【００５１】
（実施の形態２）
以下に、本発明の請求項２に記載された本発明の実施の形態２について、図７を用いて説明する。
【００５２】
図７は、本発明の実施の形態２による磁気記録再生装置のブロック図を示すものである。本実施の形態２による磁気記録再生装置は、図７に示すように、図示しない伝送路から供給される入力デジタル信号を、磁気テープである磁気記録媒体Ｔ上にトラックパターンを形成しながら記録するデジタル信号記録系と、この信号記録系によって記録された信号を再生するデジタル信号再生系、及び、図示しない伝送路から供給される入力アナログ信号を、磁気テープである磁気記録媒体Ｔ上にトラックパターンを形成しながら記録するアナログ信号記録系と、この信号記録系によって記録された信号を再生するアナログ信号再生系から、概略構成される。なお、前述した実施の形態１と同じ構成については同じ符号を用い、説明を省略する。
【００５３】
上記したアナログ信号記録系は、上記した入力アナログ信号を磁気テープＴ上に記録するための記録変調を行い、所定のゲインに増幅する、図示しない記録アンプを含むアナログ信号記録系回路２２、アナログ信号記録系回路２２から出力された増幅変調デジタル信号を、磁気テープＴ上に記録する回転ヘッド７ｅ〜７ｈから構成される。
【００５４】
ここで、例えばユーザが、入力手段２０からアナログ記録モードを指示入力するとこの指示が制御手段１５に供給され、制御手段１５はこの情報信号に基づいてアナログ信号記録系回路を動作させ、磁気テープＴ上にアナログ記録を行う。
【００５５】
また、上記した制御手段１５は、この情報信号に基づいて磁気テープＴの走行系の駆動制御を行うテープ駆動手段１７に制御信号を供給する。このテープ駆動手段１７は、この制御信号に基づいて図示しない磁気テープＴの走行系の駆動制御を行う。
【００５６】
更にまた、このときコントロール信号記録再生手段１８は、図示しない同期信号発生器で発生された、あるいは入力アナログ信号から分離された同期信号に基づいてコントロール信号を生成し、これをコントロールヘッド１９によって磁気テープＴに記録する。
【００５７】
上記したアナログ信号再生系は、上記回転ヘッド７ｅ〜７ｈが磁気テープＴ上を走査して得た再生信号を所定のゲインに増幅する、図示しない再生アンプ、および記録変調の復調を行う、図示しない復調回路からなるアナログ信号再生系回路２３から構成される。
【００５８】
ここで、デジタル信号再生時には、上記したデフォーマッタ１０は、検出されたＩＤのうち、磁気テープＴの走行速度を示す情報信号を上記した制御手段１５に供給し、制御手段１５は、この速度情報と、テープ判別手段１６でテープ走行系に挿入された磁気テープの種類を判別した情報とによって、テープ駆動手段１７に制御信号を供給し、テープ駆動手段１７は、この制御信号に基づいて磁気テープＴの走行系の駆動制御を行う。
【００５９】
また、前記テープ判別手段１６のテープ判別結果が、前記第２の記録モードに対応した電気特性が劣るテープ、例えばＶＨＳテープであり、かつ前記磁気テープから検出されたＩＤの内の磁気テープＴの走行速度を示す情報信号がない場合には、制御手段１５は、アナログ信号再生系回路２３を動作させてアナログ信号再生モードに切り換えるとともに、ＣＴＬ信号記録再生手段１８の磁気テープＴの走行速度を示す信号を、上記した制御手段１５に供給し、制御手段１５は、この速度情報によってテープ駆動手段１７に制御信号を供給し、テープ駆動手段１７は、この制御信号に基づいて磁気テープＴの走行系の駆動制御を行う。
【００６０】
このような本実施の形態２による磁気記録再生装置においては、デジタル信号記録時には、テープ判別結果を基に、磁気記録媒体を第１の走行速度で走行駆動させ、第１の走行速度に対応した情報信号と、第１の走行速度に対応したデータレートを有する入力デジタル信号とを記録する第１の記録モードと、テープ判別結果を基に、磁気記録媒体を第２の走行速度で駆動させ、第１の記録モードの１／ｎの記録レートで、第１の記録モードのｎ倍の個数の回転ヘッドを用いて、第２の走行速度に対応した情報信号と、第１の走行速度に対応したデータレートを有する入力デジタル信号とを記録する第２の記録モードとを備え、デジタル信号再生時には、テープ判別結果と、磁気記録媒体から再生された情報信号とに基づいて、磁気記録媒体に記録された信号を再生し、テープ判別結果が、前記第２の記録モードに対応したテープであり、かつ磁気記録媒体から再生された情報信号がない場合には、アナログ信号再生モードに切り換えるものとしたので、実施の形態１におけると同様に、通常のＶＨＳテープであっても、デジタル信号の記録、再生を行うことができるとともに、ＶＨＳテープにデジタル信号が記録されていない場合には、アナログ信号再生モードで再生を行うことにより、ＶＨＳテープにアナログ信号が記録されている場合には、自動的にこれを再生することができる。
【００６１】
（実施の形態３）
以下に、本発明の請求項３に記載された本発明の実施の形態３について、図８を用いて説明する。
【００６２】
図８は、本発明の実施の形態３による磁気記録再生装置のブロック図を示すものである。本実施の形態３による磁気記録再生装置は、図８に示すように、図示しない伝送路から供給される入力デジタル信号を、磁気テープである磁気記録媒体Ｔ上にトラックパターンを形成しながら記録するデジタル信号記録系と、この信号記録系によって記録された信号を再生するデジタル信号再生系、及び、図示しない伝送路から供給される入力アナログ信号を、磁気テープである磁気記録媒体Ｔ上にトラックパターンを形成しながら記録するアナログ信号記録系と、この信号記録系によって記録された信号を再生するアナログ信号再生系から概略構成される。なお、前述した実施の形態１と同じ構成については同じ符号を用い、説明を省略する。
【００６３】
上記デジタル信号再生系のエラーレートを測定するエラーレート測定手段２４は、デジタル信号再生時の内符号誤り訂正回路１１と、外符号誤り訂正回路１３の誤り訂正数に応じてエラーレートを測定し、その結果を、制御手段１５に供給する。
【００６４】
上記したアナログ信号記録系は、上記した入力アナログ信号を磁気テープＴ上に記録するための記録変調を行い、所定のゲインに増幅する図示しない記録アンプを含むアナログ信号記録系回路２２、アナログ信号記録系回路２２から出力された増幅変調デジタル信号を磁気テープＴ上に記録する回転ヘッド７ｅ〜７ｈから構成される。
【００６５】
ここで、例えばユーザが、入力手段２０からアナログ記録モードを指示入力すると、この指示が制御手段１５に供給され、制御手段１５は、この情報信号に基づいてアナログ信号記録系回路を動作させ、磁気テープＴ上にアナログ記録を行う。
【００６６】
また、上記した制御手段１５は、この情報信号に基づいて磁気テープＴの走行系の駆動制御を行うテープ駆動手段１７に制御信号を供給する。このテープ駆動手段１７は、この制御信号に基づいて、図示しない磁気テープＴの走行系の駆動制御を行う。
【００６７】
更にまた、このときコントロール信号記録再生手段１８は、図示しない同期信号発生器で発生された、あるいは入力アナログ信号から分離された同期信号に基づいてコントロール信号を生成し、これをコントロールヘッド１９によって磁気テープＴに記録する。
【００６８】
上記したアナログ信号再生系は、上記回転ヘッド７ｅ〜７ｈが磁気テープＴ上を走査して得た再生信号を、所定のゲインに増幅する図示しない再生アンプ、記録変調の復調を行う図示しない復調回路からなるアナログ信号再生系回路２３から構成される。
【００６９】
ここで、デジタル信号再生時には、上記したデフォーマッタ１０は検出されたＩＤのうち、磁気テープＴの走行速度を示す情報信号を上記した制御手段１５に供給し、制御手段１５は、この速度情報と、テープ判別手段１６でテープ走行系に挿入された磁気テープの種類を判別した情報とによってテープ駆動手段１７に制御信号を供給し、テープ駆動手段１７は、この制御信号に基づいて磁気テープＴの走行系の駆動制御を行う。
【００７０】
また、前記テープ判別手段１６のテープ判別結果が、前記第２の記録モードに対応した電気特性が劣るテープ、例えばＶＨＳテープであり、かつ、エラーレート測定手段２４により測定された、前記磁気テープから再生された信号のエラーレートがある基準以上に悪い場合には、制御手段１５は、アナログ信号再生系回路２３を動作させてアナログ信号再生モードに切り換えるとともに、ＣＴＬ信号記録再生手段１８の磁気テープＴの走行速度を示す信号を上記した制御手段１５に供給し、制御手段１５は、この速度情報によってテープ駆動手段１７に制御信号を供給し、テープ駆動手段１７は、この制御信号に基づいて磁気テープＴの走行系の駆動制御を行う。
【００７１】
このような本実施の形態３による磁気記録再生装置においては、デジタル信号記録時には、テープ判別結果を基に、磁気記録媒体を第１の走行速度で走行駆動させ、第１の走行速度に対応した情報信号と、第１の走行速度に対応したデータレートを有する入力デジタル信号とを記録する第１の記録モードと、テープ判別結果を基に、磁気記録媒体を第２の走行速度で駆動させ、第１の記録モードの１／ｎの記録レートで、第１の記録モードのｎ倍の個数の回転ヘッドを用いて、第２の走行速度に対応した情報信号と、第１の走行速度に対応したデータレートを有する入力デジタル信号とを記録する第２の記録モードとを備え、デジタル信号再生時には、テープ判別結果と、磁気記録媒体から再生された情報信号と、デジタル信号再生時のエラーレートの測定結果と、に基づいて、磁気記録媒体に記録された信号を再生し、テープ判別結果が、第２の記録モードに対応したテープであり、かつデジタル信号再生時のエラーレートの測定結果がある基準以上に悪い場合には、アナログ信号再生モードに切り換えるものとしたので、実施の形態１におけると同様に、通常のＶＨＳテープであっても、デジタル信号の記録、再生を行うことができるとともに、該ＶＨＳテープからデジタル信号を良好に再生できない場合には、アナログ信号再生モードで再生を行うことにより、該ＶＨＳテープに記録されているアナログ信号を、再生することができる効果が得られる。
【００７２】
【発明の効果】
以上のように本発明にかかる磁気記録再生装置によれば、所定の入力デジタル信号のデータレートを基本データレートとして、磁気テープの種類に応じて、磁気テープの走行速度を可変し、記録変調デジタル信号の記録レートと、回転ヘッド数とを可変して記録を行うことにより、異なる種類の磁気テープ上に効率よく信号を記録することができる、という有利な効果が得られる。
【００７３】
また、入力アナログ信号及び入力デジタル信号の記録再生を行なう磁気記録再生装置において、通常の電気特性の磁気テープに、アナログ信号とデジタル信号のどちらが記録されているかを判別することができる、という効果がある。
【図面の簡単な説明】
【図１】本発明の第１の実施の形態による磁気記録再生装置のブロック図。
【図２】本発明の第１の実施に形態における回転ヘッドの配置の図。
【図３】本発明の第１の実施の形態による磁気記録再生装置の動作を表すタイミングチャート。
【図４】本発明の第１の実施の形態における磁気テープのトラックパターンの図。
【図５】本発明の第１の実施の形態における磁気記録再生装置の動作を表すタイミングチャート。
【図６】本発明の第１の実施の形態における磁気テープのトラックパターンの図。
【図７】本発明の第２の実施の形態による磁気記録再生装置のブロック図。
【図８】本発明の第３の実施の形態による磁気記録再生装置のブロック図。
【符号の説明】
１  入力Ｉ／Ｆ手段
２  メモリ
３  外符号生成回路
４  内符号生成回路
５  フォーマッタ
６  記録アンプ
７ａ〜７ｄ  回転ヘッド
７ｅ〜７ｈ  回転ヘッド
８  再生アンプ
９  波形等化回路
１０  デフォーマッタ
１１  内符号誤り訂正回路
１３  外符号誤り訂正回路
１４  出力Ｉ／Ｆ回路
１５  制御手段
１６  テープ判別手段
１７  テープ駆動手段
１８  ＣＴＬ信号記録再生手段
１９  ＣＴＬヘッド
２０  入力手段
２１  回転ドラム
２２  アナログ信号記録系回路
２３  アナログ信号再生系回路
２４  エラーレート測定手段
２５  テープ走行手段
【図１】
2004253098.tif 000003
【図２】
2004253098.tif 000004
【図３】
2004253098.tif 000005
【図４】
2004253098.tif 000006
【図５】
2004253098.tif 000007
【図６】
2004253098.tif 000008
【図７】
2004253098.tif 000009
【図８】
2004253098.tif 000010